(57)【要約】【課題】ストリームデータ取り込み時にダビングリストを表示し、これに基づいてＤＶテープのダビングを開始させることができるストリーム取り込みシステム及び方法、並びに、この方法を実施するストリーム取り込み制御装置を提供する。【解決手段】ダビング元のＤＶカム４と、ダビング先の映像機器１、２＿ａ、２＿ｂ、又は３と、ＡＶ／Ｃコマンドを用いて、ＤＶカム４及びダビング先のデジタル映像機器を制御する記録再生装置１とを有するストリーム取り込みシステムであって、記録再生装置１は、ダビング元からのストリームデータのタイムコード不連続点を検出し、検出されたタイムコード不連続点に対応したタイトルを検出し、タイトル及びストリームデータがＤＶテープに記録された日時を含むダビングリストを表示させ、タイトル選択操作によって、ダビングされるストリームのタイトルと、ダビング先との対応を指定する。【選択図】図３
2007300299.tif 000002
【特許請求の範囲】
【請求項１】
ＤＶテープを再生してストリームデータを出力するダビング元のデジタル映像機器と、
前記ストリームデータをダビング先のランダムアクセス可能な記録媒体の記録フォーマットに変換して、前記記録媒体に記録するダビング先のデジタル映像機器と、
ＡＶ／Ｃコマンドを用いて、前記ダビング元のデジタル映像機器及び前記ダビング先のデジタル映像機器を制御するストリーム取り込み制御装置と、
前記ダビング元のデジタル映像機器、前記ダビング先のデジタル映像機器、及び前記ストリーム取り込み制御装置の相互間で、制御信号と情報信号とを混在させた通信を実現する双方向通信手段と
を有するストリーム取り込みシステムにおいて、
前記ストリーム取り込み制御装置は、
前記ダビング元のデジタル映像機器からのストリームデータのタイムコード不連続点を検出するタイムコード不連続点検出手段と、
前記検出されたタイムコード不連続点に対応したタイトルを検出するタイトル検出手段と、
前記タイムコード及び前記タイトルを記憶する記憶手段と、
前記タイトル及び前記ストリームデータが前記ＤＶテープに記録された日時を含むダビングリストを表示装置に表示させ、該ダビングリストのタイトルを選択する操作によって、ダビングされるストリームのタイトルと、ダビング先のデジタル映像機器との対応を指定するダビング先選択手段と
を有することを特徴とするストリーム取り込みシステム。
【請求項２】
前記ストリーム取り込み制御装置は、
前記タイトルに対応したジャンルを検出するジャンル検出手段を有し、
前記ダビング先選択手段は、前記タイトル、前記ストリームデータが前記ＤＶテープに記録された日時、及びジャンルを含む前記ダビングリストを表示装置に表示させ、該ダビングリストのジャンルを選択する操作によって、ダビングされるストリームのジャンルと、ダビング先のデジタル映像機器との対応を指定する
ことを特徴とする請求項１に記載のストリーム取り込みシステム。
【請求項３】
前記ストリーム取り込み制御装置は、ＡＶ／Ｃコマンドを用いて、前記ダビング元のデジタル映像機器から前記ダビング先のデジタル映像機器へのダビング動作を途中で停止させる手段を有することを特徴とする請求項１又は２のいずれかに記載のストリーム取り込みシステム。
【請求項４】
前記ストリーム取り込み制御装置と前記ダビング先のデジタル映像機器とは、単一のデジタル映像記録再生装置であり、
前記デジタル映像記録再生装置は、ハードディスクに情報を記録するハードディスク記録部とデジタル多用途ディスクに情報を記録する光ディスク記録部とを有する
ことを特徴とする請求項１乃至３のいずれかに記載のストリーム取り込みシステム。
【請求項５】
前記表示装置は、前記ストリーム取り込み制御装置に搭載された、又は、前記ストリーム取り込み制御装置若しくは前記双方向通信手段に接続されたモニタであることを特徴とする請求項１乃至４のいずれかに記載のストリーム取り込みシステム。
【請求項６】
ＤＶテープを再生してストリームデータを出力するダビング元のデジタル映像機器と、
前記ストリームデータをダビング先のランダムアクセス可能な記録媒体の記録フォーマットに変換して、前記記録媒体に記録するダビング先のデジタル映像機器と、
ＡＶ／Ｃコマンドを用いて、前記ダビング元のデジタル映像機器及び前記ダビング先のデジタル映像機器を制御するストリーム取り込み制御装置と、
前記ダビング元のデジタル映像機器、前記ダビング先のデジタル映像機器、及び前記ストリーム取り込み制御装置の相互間で、制御信号と情報信号とを混在させた通信を実現する双方向通信手段と
を有するストリーム取り込みシステムにおいて用いられる前記ストリーム取り込み制御装置であって、
前記ダビング元のデジタル映像機器からのストリームデータのタイムコード不連続点を検出するタイムコード不連続点検出手段と、
前記検出されたタイムコード不連続点に対応したタイトルを検出するタイトル検出手段と、
前記タイムコード及び前記タイトルを記憶する記憶手段と、
前記タイトル及び前記ストリームデータが前記ＤＶテープに記録された日時を含むダビングリストを表示装置に表示させ、該ダビングリストのタイトルを選択する操作によって、ダビングされるストリームのタイトルと、ダビング先のデジタル映像機器との対応を指定するダビング先選択手段と
を有することを特徴とするストリーム取り込み制御装置。
【請求項７】
前記ストリーム取り込み制御装置は、
前記タイトルに対応したジャンルを検出するジャンル検出手段を有し、
前記ダビング先選択手段は、前記タイトル、前記ストリームデータが前記ＤＶテープに記録された日時、及びジャンルを含む前記ダビングリストを表示装置に表示させ、該ダビングリストのジャンルを選択する操作によって、ダビングされるストリームのジャンルと、ダビング先のデジタル映像機器との対応を指定する
ことを特徴とする請求項６に記載のストリーム取り込み制御装置。
【請求項８】
前記ストリーム取り込み制御装置は、ＡＶ／Ｃコマンドを用いて、前記ダビング元のデジタル映像機器から前記ダビング先のデジタル映像機器へのダビング動作を途中で停止させる手段を有することを特徴とする請求項６又は７のいずれかに記載のストリーム取り込み制御装置。
【請求項９】
前記ストリーム取り込み制御装置と前記ダビング先のデジタル映像機器とは、単一のデジタル映像記録再生装置であり、
前記デジタル映像記録再生装置は、ハードディスクに情報を記録するハードディスク記録部とデジタル多用途ディスクに情報を記録する光ディスク記録部とを有する
ことを特徴とする請求項６乃至８のいずれかに記載のストリーム取り込み制御装置。
【請求項１０】
ＤＶテープを再生してストリームデータを出力するダビング元のデジタル映像機器と、
前記ストリームデータをダビング先のランダムアクセス可能な記録媒体の記録フォーマットに変換して、前記記録媒体に記録するダビング先のデジタル映像機器と、
ＡＶ／Ｃコマンドを用いて、前記ダビング元のデジタル映像機器及び前記ダビング先のデジタル映像機器を制御するストリーム取り込み制御装置と、
前記ダビング元のデジタル映像機器、前記ダビング先のデジタル映像機器、及び前記ストリーム取り込み制御装置の相互間で、制御信号と情報信号とを混在させた通信を実現する双方向通信手段と
を有するシステムにおけるストリーム取り込み方法であって、
前記ストリーム取り込み制御装置は、
ダビング元のデジタル映像機器からのストリームデータのタイムコード不連続点を検出し、
前記検出されたタイムコード不連続点に対応したタイトルを検出し、
前記タイムコード及び前記タイトルを記憶手段に記憶させ、
前記タイトル及び前記ストリームデータが前記ＤＶテープに記録された日時を含むダビングリストを表示装置に表示させ、
ユーザによるダビングリストのタイトルの選択操作に従って、ダビングされるストリームのタイトルと、ダビング先のデジタル映像機器との対応を指定する
ことを特徴とするストリーム取り込み方法。
【請求項１１】
前記タイトルに対応したジャンルを検出し、
前記ユーザによるダビングリストのジャンルの選択操作に従って、ダビングされるストリームのジャンルと、ダビング先のデジタル映像機器との対応を指定する
ことを特徴とする請求項１０に記載のストリーム取り込み方法。
【請求項１２】
ＡＶ／Ｃコマンドを用いて、前記ダビング元のデジタル映像機器から前記ダビング先のデジタル映像機器へのダビング動作を途中で停止させることを特徴とする請求項１０又は１１のいずれかに記載のストリーム取り込み方法。
【発明の詳細な説明】
【技術分野】
【０００１】
本発明は、制御信号と情報信号とを混在させて伝送する通信制御バスによる双方向通信機能を有し、通信制御バスに接続されたデジタルビデオ（ＤＶ）方式の映像機器（ＤＶ機器）を検出し、そのＤＶ機器から出力されたＤＶストリームデータを取り込みしてランダムアクセス可能な記録媒体に記録するストリーム取り込みシステム及び方法、並びに、この方法を実施するストリーム取り込み制御装置に関するものである。
【背景技術】
【０００２】
近年、映像音声データをデジタルビデオテープ（ＤＶテープ）に記録するＤＶ機器、例えば、ビデオカメラとＶＴＲとを一体化させたデジタルビデオカムコーダ（ＤＶカム）が普及している。ＤＶテープに記録されたデータは、デジタル記録再生装置によって取り込まれ、デジタル記録可能な記録媒体、例えば、デジタル多用途ディスク（ＤＶＤ）やハードディスクドライブ（ＨＤＤ）に保存される。
【０００３】
一般に、ＤＶテープに記録された映像信号は、ＭＰＥＧエンコードされたものではなく、ＤＶ方式でデータ圧縮されたＤＶ信号である。ここで、ＤＶ方式は、「ＨＤデジタルＶＣＲ協議会」が定めた標準規格である。
【０００４】
一方、デジタル記録再生装置が、通信制御バスであるＩＥＥＥ１３９４シリアルバス（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４  Ｈｉｇｈ  Ｐｅｒｆｏｒｍａｎｃｅ  Ｓｅｒｉａｌ  Ｂｕｓ）を介して、他の機器からのデジタルデータの記録を行う場合、ＭＰＥＧ−ＴＳ（ＭＰＥＧ  Ｔｒａｎｓｐｏｒｔ  Ｓｔｒｅａｍ）方式の映像圧縮データを取り扱うことが多い。このため、デジタル記録再生装置が、圧縮方式の異なる映像音声データを取り込む際には、信号元のデジタル信号の符号化方式を、記録先のランダムアクセス可能な記録媒体に適合させるようにフォーマット変換することが必要である。
【０００５】
例えば、ＩＥＥＥ１３９４シリアルバスを用いたデジタル記録可能なＭＰＥＧ２−ＴＳ記録方式のデジタル記録再生装置は、１３９４シリアルバスのネットワークを介して、複数のデジタル機器に接続可能である。１３９４シリアルバスのネットワークにおいては、ネットワークを構成する機器の接続形態をトポロジーと呼び、１つのバス上に最大６３台までの機器を接続可能である。デジタル記録再生装置は、理論的には、トポロジー上のどの接続機器とも、リアルタイムのデータ伝送である同期データ伝送用のアイソクロナス（Ｉｓｏｃｈｒｏｎｏｕｓ）通信及び通常のアシンクロナス（非同期、Ａｓｙｎｃｈｒｏｎｏｕｓ）通信を行うことができる（例えば、非特許文献１参照）。
【０００６】
図１４は、ＩＥＥＥ１３９４シリアルバス１０６によるＤＶ機器２００，３００，４００のネットワーク接続の一例を示すブロック図である。図１５においては、ＩＥＥＥ１３９４対応のデジタル記録再生装置２００が、１３９４シリアルバス１０６によって、信号源となるデジタル放送受信機４００に接続されている。なお、ＩＥＥＥ１３９４規格の接続形態としては、ループ接続、ツリー接続、デイジーチェーン接続、及びスター接続が可能である。以下に、デジタル記録再生装置２００がデジタル放送受信機４００から出力されるＭＰＥＧ−ＴＳを記録する場合を説明する。
【０００７】
図１５は、図１４のデジタル記録再生装置２００の構成を概略的に示すブロック図である。図１５に示されるように、デジタル記録再生装置２００は、１３９４シリアルバス１０６によってデジタル放送受信機４００と接続されている。図１５に示されるように、デジタル記録再生装置２００は、トポロジー情報を格納する不揮発性記憶装置２０１と、マイクロコンピュータ（マイコン）２０２と、１３９４インターフェース部２０３と、Ｄ−ＶＨＳ（データ・ビデオホームシステム）記録再生部２０４と、録画操作部である録画ボタン２０５と、機器選択ボタン２０６と、モード選択ボタン２０７と、記録の際にデジタル記録再生装置２００との仮想的接続を行う機器を表示して、ユーザの操作により機器を選択できるような機器情報表示部２０８とを備えている。
【０００８】
図１６は、図１４のデジタル記録再生装置２００のデジタル記録開始時にユーザインターフェースを用いてユーザが行う操作を示すフローチャートである。図１６に示されるように、ユーザは、デジタル放送受信機（図１５の４００）から出力されるＭＰＥＧ−ＴＳのデジタル記録を行うために、デジタル放送受信機が記録対象機器として選択されているかどうかを、機器情報表示部（図１５の２０８）の表示で判断する（ステップＳ２１１）。機器情報表示部においてデジタル放送受信機が選択されていなければ、機器選択ボタン（図１５の２０６）を押下することによって、記録対象機器を変更して（ステップＳ２１３）、処理をステップＳ２１１に戻す。
【０００９】
ステップＳ２１１で機器情報表示部（図１５の２０８）においてデジタル放送受信機（図１５の４００）が選択されていれば、ユーザは、記録モードがデジタル記録モードであるか否かを判断する（ステップＳ２１２）。デジタル記録モードであれば、処理はステップＳ２１５に進み、デジタル記録モードでなければ、記録モードボタンによってデジタル記録モードに設定してから、処理はステップＳ２１５に進む。
【００１０】
次に、デジタル記録再生装置のマイクロコンピュータ（図１５の２０２）は、ユーザにより録画ボタン（図１５の２０５）が押されたかどうかを判断して、押されていなければ再びステップＳ２１５に戻り、押されていれば記録を開始する（ステップＳ２１６）。
【００１１】
また、ＤＶＤ記録再生装置における編集作業の操作手順を簡略化するものとして、編集処理を行う場合に、編集処理と再生処理を交互に行うのではなく、再生処理に編集処理を割り込ませるようにしたものがある（例えば、特許文献１参照）。編集処理メニューからチャプターマークを付与する処理の例を、図１７のフローチャートと図１８の編集処理動作のフローチャートを用いて、説明する。
【００１２】
図１７において、制御部（例えば、図１５のマイクロコンピュータ）は、モードキーが押下されるのを待ち、モードキーが押下されると（ステップＳ２１ｂ）、どのモードキーが押下されたかを判断する（ステップＳ２２ｂ）。録画キーが押下されたときには、制御部は、録画モードと判断して録画処理を行う（ステップＳ２３ｂ）。再生キーが押下されたときには、制御部は、再生モードと判断して再生処理を行う（ステップＳ２４ｂ）と共に、図１８のフローチャートに示される編集処理（ステップＳ３１ｂ，Ｓ３２ｂ，Ｓ３３ｂ，Ｓ３４ｂ，Ｓ３５ｂなど）を行う（ステップＳ２６ｂ）。メニューキーが押下されたときには、制御部は、選択再生モードと判断して選択処理を行い（ステップＳ２５ｂ）、その後、再生処理（ステップＳ２４ｂ）と編集処理（ステップＳ２６ｂ）を行う。
【００１３】
ＩＥＥＥ１３９４プロトコルを用いたＭＰＥＧストリーム伝送のための規格として、ＩＥＣ６１８８３がある。また、ＩＥＥＥ１３９４プロトコルを用いて接続されたオーディオビデオ機器を制御するコマンドの規格として、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ（一般に「ＡＶ／Ｃ  Ｇｅｎｅｒａｌ」と言う。）というプロトコルが有る。ここでは、ＩＥＥＥ１３９４でハンドシェイクを行なうための基本的なプロトコル（すなわち、コマンドのやり取りの約束）を規定している。これらのプロトコルを使用する場合、機器はサブユニット（Ｓｕｂｕｎｉｔ）と呼ばれるソフトウェア構造を持つことを基本とし、このプロトコルを実装した機器に対してＡＶ／Ｃコマンドで制御を行うことができる。
【００１４】
【非特許文献１】高田信司監修、「ＩＥＥＥ１３９４ＡＶ機器への応用」、日刊工業新聞社、２０００年１月２８日発行
【特許文献１】特開２００４−１４７２０２号公報（段落００１６〜００１７、図３、図４）
【発明の開示】
【発明が解決しようとする課題】
【００１５】
以上のように、従来のデジタル記録再生装置においては、図１７及び図１８に示されるように、再生処理中においてのみ編集モードを選択でき、編集用のキーによって編集モードが選択されると、再生処理を中断して編集処理（例えば、チャプターマーク付与）モードに移行し、編集処理終了後に、編集処理モードの解除を操作して、再生を再開させなければならなかった。
【００１６】
また、従来のデジタル記録再生装置においては、同一ＤＶテープ内に複数のジャンルが記録されたＤＶストリームデータをジャンル別に個々のＤＶＤに記録する機能は備えられていなかった。
【００１７】
さらに、従来のデジタル記録再生装置においては、ＤＶテープのＤＶストリームデータの取り込み中は、この取り込み中の映像がいつＤＶカムで録画されたものなのか、タイトル名が付いているのか否か、タイトル名が付いている場合にはタイトル名は何なのか等を、即座に確認できなかった。これらの情報を確認するためには、ＤＶストリームデータの取り込みを中断し、再生リストを表示させて確認しなければならないという問題があった。
【００１８】
さらにまた、従来のデジタル記録再生装置においては、ＤＶテープのＤＶストリームデータをデジタル記録再生装置内のＨＤＤやＤＶＤに取り込み中、不用な部分をカットしてダビングする（取り込む）機能は備えられていなかった。
【００１９】
そこで、本発明は、上記したような従来技術の課題を解決するためになされたものであり、その目的は、ユーザによる複雑な操作を必要とせず、ＤＶ機器からＤＶストリームデータをデジタル記録再生装置の記録デバイスに取り込む際、ダビングリスト一覧表を表示し、これに基づいてＤＶテープのダビングを開始することができるストリーム取り込みシステム及び方法、並びに、この方法を実施するストリーム取り込み制御装置を提供することである。
【００２０】
また、本発明の他の目的は、ユーザによる複雑な操作を必要とせず、ダビングリスト一覧表を表示し、タイトル毎にダビング先を決定することによって、ＤＶテープの映像の一部を容易にカットできるストリーム取り込みシステム及び方法、並びに、この方法を実施するストリーム取り込み制御装置を提供することである。
【課題を解決するための手段】
【００２１】
本発明のストリーム取り込みシステムは、ＤＶテープを再生してストリームデータを出力するダビング元のデジタル映像機器と、前記ストリームデータをダビング先のランダムアクセス可能な記録媒体の記録フォーマットに変換して、前記記録媒体に記録するダビング先のデジタル映像機器と、ＡＶ／Ｃコマンドを用いて、前記ダビング元のデジタル映像機器及び前記ダビング先のデジタル映像機器を制御するストリーム取り込み制御装置と、前記ダビング元のデジタル映像機器、前記ダビング先のデジタル映像機器、及び前記ストリーム取り込み制御装置の相互間で、制御信号と情報信号とを混在させた通信を実現する双方向通信手段とを有し、前記ストリーム取り込み制御装置は、前記ダビング元のデジタル映像機器からのストリームデータのタイムコード不連続点を検出するタイムコード不連続点検出手段と、前記検出されたタイムコード不連続点に対応したタイトルを検出するタイトル検出手段と、前記タイムコード及び前記タイトルを記憶する記憶手段と、前記タイトル及び前記ストリームデータが前記ＤＶテープに記録された日時を含むダビングリストを表示装置に表示させ、該ダビングリストのタイトルを選択する操作によって、ダビングされるストリームのタイトルと、ダビング先のデジタル映像機器との対応を指定するダビング先選択手段とを有するものである。
【００２２】
また、本発明のストリーム取り込み制御装置は、ＤＶテープを再生してストリームデータを出力するダビング元のデジタル映像機器と、前記ストリームデータをダビング先のランダムアクセス可能な記録媒体の記録フォーマットに変換して、前記記録媒体に記録するダビング先のデジタル映像機器と、ＡＶ／Ｃコマンドを用いて、前記ダビング元のデジタル映像機器及び前記ダビング先のデジタル映像機器を制御するストリーム取り込み制御装置と、前記ダビング元のデジタル映像機器、前記ダビング先のデジタル映像機器、及び前記ストリーム取り込み制御装置の相互間で、制御信号と情報信号とを混在させた通信を実現する双方向通信手段とを有するストリーム取り込みシステムにおいて用いられる装置であって、前記ダビング元のデジタル映像機器からのストリームデータのタイムコード不連続点を検出するタイムコード不連続点検出手段と、前記検出されたタイムコード不連続点に対応したタイトルを検出するタイトル検出手段と、前記タイムコード及び前記タイトルを記憶する記憶手段と、前記タイトル及び前記ストリームデータが前記ＤＶテープに記録された日時を含むダビングリストを表示装置に表示させ、該ダビングリストのタイトルを選択する操作によって、ダビングされるストリームのタイトルと、ダビング先のデジタル映像機器との対応を指定するダビング先選択手段とを有するものである。
【００２３】
また、本発明のストリーム取り込み方法は、ＤＶテープを再生してストリームデータを出力するダビング元のデジタル映像機器と、前記ストリームデータをダビング先のランダムアクセス可能な記録媒体の記録フォーマットに変換して、前記記録媒体に記録するダビング先のデジタル映像機器と、ＡＶ／Ｃコマンドを用いて、前記ダビング元のデジタル映像機器及び前記ダビング先のデジタル映像機器を制御するストリーム取り込み制御装置と、前記ダビング元のデジタル映像機器、前記ダビング先のデジタル映像機器、及び前記ストリーム取り込み制御装置の相互間で、制御信号と情報信号とを混在させた通信を実現する双方向通信手段とを有するシステムにおけるストリーム取り込み方法であって、ダビング元のデジタル映像機器からのストリームデータのタイムコード不連続点を検出し、前記検出されたタイムコード不連続点に対応したタイトルを検出し、前記タイムコード及び前記タイトルを記憶手段に記憶させ、前記タイトル及び前記ストリームデータが前記ＤＶテープに記録された日時を含むダビングリストを表示装置に表示させ、ユーザによるダビングリストのタイトルの選択操作に従って、ダビングされるストリームのタイトルと、ダビング先のデジタル映像機器との対応を指定するものである。
【発明の効果】
【００２４】
本発明によれば、同一ＤＶテープ内の異なるタイトル又はジャンルのコンテンツを一括して指定することによって、同一ＤＶテープ内の複数のコンテンツを、タイトル又はジャンルごとに、異なるＤＶ機器にダビングできるという効果がある。
【００２５】
また、本発明によれば、タイムコードの不連続点を検索し、それに対応したＤＶ記録日時及びタイトルを表示できるので、ＤＶ記録日時やタイトルを確認しながら必要なコンテンツをＤＶ機器の記録媒体に取り込みできるという効果がある。
【発明を実施するための最良の形態】
【００２６】
実施の形態１．
図１は、本発明の実施の形態１に係るＤＶストリーム取り込みシステム１００の構成を概略的に示すブロック図である。ＤＶストリーム取り込みシステム１００は、デジタル記録再生装置１のＤＶ取り込みボタンを押すだけで、同一ＤＶテープ内の異なるジャンルのコンテンツを、ジャンルごとに別々のＤＶＤにダビングするステップが開始されるダビングシステムである。実施の形態１においては、デジタル記録再生装置１は、ＡＶ／Ｃコマンドを用いて、ダビング元のデジタル映像機器（例えば、ＤＶカム４）及びダビング先のデジタル映像機器（例えば、機器１，２＿ａ，２＿ｂ，３）を制御するＤＶストリーム取り込み装置である。また、デジタル記録再生装置１は、ダビング先のデジタル映像機器でもある。図１に示されるように、ＤＶストリーム取り込みシステム１００は、ＩＥＥＥ１３９４規格に準拠したシリアルバス（１３９４シリアルバス）による通信機能を有する複数台の機器（１３９４対応機器）１，２＿ａ，２＿ｂ，３，４を、１３９４シリアルバス（１３９４ケーブル）６で接続することによって構成されている。ここで、１３９４対応機器１は、ランダムアクセス可能なデジタル記録再生装置であり、１３９４対応機器２＿ａ，２＿ｂは、ＤＶＤ記録再生装置又はＨＤＤ内蔵のＤＶＤレコーダである。また、１３９４対応機器３は、ＤＶＨＳ方式のビデオテープレコーダであり、１３９４対応機器４は、ＤＶカム（デジタルビデオカムコーダ）である。また、デジタル記録再生装置１にモニタテレビジョン（モニタＴＶ）５を接続しておくことで、１３９４シリアルバス６を介して、ＤＶカム４のＤＶテープ操作キーの表示、このキーの操作によるデジタル記録再生装置１の動作状態の表示、ＤＶテープの無記録部やタイムコード（Ｔｉｍｅ  Ｃｏｄｅ）の不連続点に対応した、ＤＶ記録日時やタイトルをモニタ表示することができる。同様に、モニタＴＶ５には、１３９４対応機器２＿ａ，２＿ｂ，３の操作キー表示、及びこのキーの操作によるデジタル記録再生装置１の動作状態の表示をさせることができる。なお、モニタＴＶ５は、デジタル記録再生装置１に接続する場合には、ＩＥＥＥ１３９４規格に非対応な機器とすることもできる。また、１３９４シリアルバス６は、１３９４対応機器１〜４を、スター状又はツリー状に接続する。また、１つのバスには、最大で６３台の１３９４対応機器が接続できる。
【００２７】
図２は、図１のデジタル記録再生装置１の構成を概略的に示すブロック図である。図２には、デジタル記録再生装置１（図２においては、ＤＶストリーム取り込み装置であり、同時に、ダビング先のデジタル映像機器の一つである。）とＤＶカム４（ダビング元のデジタル映像機器である。）とが、制御信号と情報信号とを混在させて伝送できる通信制御バスである１３９４シリアルバス６を介して接続されている例が示されている。
【００２８】
図２に示されるように、デジタル記録再生装置１は、ＩＥＥＥ１３９４規格に準拠するインターフェース（１３９４Ｉ／Ｆ）７と、ＩＥＥＥ１３９４規格に準拠する物理層（１３９４ＰＨＹ）８と、ＩＥＥＥ１３９４規格に準拠するデータリンク層（１３９４Ｌｉｎｋ）９と、ＨＤＤコントローラ１０と、ＨＤＤ１１と、ＤＶＤ１２の記録再生を制御するＤＶＤコントローラ１３とを有している。また、デジタル記録再生装置１は、ストリーム変換切替部１４と、映像音声復号部１５と、内部制御バス１６と、ＣＰＵ１７と、ＲＯＭ１８と、ＲＡＭ１９と、ユーザインターフェース２０と、表示制御回路３３と、ＧＵＩ生成回路３４とを有している。なお、ＣＰＵ１７、ＲＯＭ１８、及びＲＡＭ１９は、デジタル記録再生装置１全体の動作を制御するための制御部２５を構成している。
【００２９】
１３９４Ｉ／Ｆ７、１３９４ＰＨＹ８、及び１３９４Ｌｉｎｋ９は、通信制御バスである１３９４シリアルバス６を介して接続されたＤＶカム４の出力プラグの論理的チャンネルへの仮想的接続手段と、通信制御バスである１３９４シリアルバス６上のデジタル記録再生装置１の入力プラグの論理的チャンネルへの仮想的接続手段とを備えている。また、１３９４Ｉ／Ｆ７、１３９４ＰＨＹ８、及び１３９４Ｌｉｎｋ９は、通信制御バスを介して接続された種々の機器の中からＤＶ機器（実施の形態１においては、ＤＶテープ機器）を検出する検出手段を備えている。
【００３０】
１３９４Ｉ／Ｆ７、１３９４ＰＨＹ８、１３９４Ｌｉｎｋ９、及びＣＰＵ１７は、ターゲットのＤＶ機器及びディスクレコーダが使用可能かどうかの状況把握手段を備えている。
【００３１】
また、ＤＶ機器（例えば、ＤＶカム４）内のＤＶテープに記録されている情報信号をデジタル記録再生装置１のランダムアクセス可能な記録媒体に記録する手段は、ストリーム変換切替部１４、ＨＤＤコントローラ１０、ＨＤＤ１１、ＤＶＤコントローラ１３、及びＤＶＤ１２により構成されている。記録方式の設定情報、情報信号の記録開始及び記録停止情報は、制御部２５からの制御信号に基づいて、ランダムアクセス可能な記録媒体に記録される。
【００３２】
また、ＤＶ機器のＤＶテープ再生開始及び停止等の制御は、コントローラ側であるデジタル記録再生機器１の制御部２５から出力される制御信号により実行される。制御部２５からの制御信号は、ＩＥＥＥ１３９４規格に準拠したプロトコル（１３９４プロトコル）に変換され、１３９４Ｌｉｎｋ９、１３９４ＰＨＹ８、１３９４Ｉ／Ｆ７、及び１３９４シリアルバス６を介してＤＶ機器に送られる。ＤＶ機器は、ＧＵＩＤ（Ｇｌｏｂａｌ  Ｕｎｉｑｕｅ  Ｉｄｅｎｔｉｆｉｅｒ）、機器の形式、ノードＩＤ、機器名等のトポロジー情報をデジタル記録再生機器１に送信する。デジタル記録再生機器１は、トポロジー情報をモニタ表示し、ユーザはモニタ表示を確認しながらターゲットＤＶ機器を選択する。
【００３３】
以下に、デジタル記録再生機器１が、ターゲットＤＶ機器であるＤＶカム４を遠隔操作して、ＤＶストリーム取り込みを行う動作について説明する。
【００３４】
先ず、デジタル記録再生機器１のユーザインターフェース２０内のＤＶ録画ボタン（ＤＶストリーム取り込みボタン）２１を押下げると、制御部２５は、それを認識し、図３に示される接続機器一覧とダビングリストをモニタＴＶ５に表示する。図３は、外部接続されたモニタＴＶ５に表示された接続機器一覧とダビングリストを示す図である。
【００３５】
ターゲットＤＶ機器から１３９４シリアルバス６を通してデジタル記録再生機器１にＤＶ映像データ（ＤＶストリーム）が入力される。入力されたＤＶ映像データは、１３９４Ｉ／Ｆ７、１３９４ＰＨＹ８、及び１３９４Ｌｉｎｋ９を介してストリーム変換切替部１４に入力される。
【００３６】
ユーザインターフェース２０内のＤＶ録画ボタン２１の押下げ後、ユーザは、ユーザインターフェース２０内のカーソル移動キー（及び決定ボタン）３７によって、図３のＤＶストリーム取り込み画面３０のＤＶストリームキャプチャー情報であるダビングリスト３１を見ながら、ＤＶ映像データのジャンル別にダビング先を選択し決定する。
【００３７】
図３に示されるように、接続機器一覧とダビング先の一覧には、例えば、１３９４接続されプラグ管理された機器が一覧にして表示される。１３９４接続された機器は、ＧＵＩＤ、機器の形式、ノードＩＤ、機器名等のトポロジー情報をデジタル記録再生機器１に送信する。デジタル記録再生機器１は、トポロジー情報をモニタ表示し、ユーザはモニタ表示を確認しながらダビング先の機器を選択する。
【００３８】
ＤＶ映像データから検出したＤＶ無記録部やタイムコードの不連続点に対応した、ＤＶ記録日時やタイトルをモニタ表示し（図３）、ユーザがダビング先の機器を選択をすると、選択された機器のＧＵＩＤは、ダビングしたいコンテンツのタイトルのＲｅｃ  Ｔｉｍｅ（記録時間）とＤＶカウンタ値とに対応付けられ、ＥＥＰＲＯＭ２７に記憶される。
【００３９】
制御部２５は、ＤＶ録画ボタン２１が押されると、ＤＶカム４にダビングのためのＤＶテープ再生をさせながら、ＤＶカウンタ値を監視し、ＤＶチャプターマークをカウントする。有効記録の中から、ダビングリスト３１において、ダビング機器が設定されたチャプターマークにテープが到達した際、制御部２５は、ＤＶテープを一時停止させ、後述する図１３に示されるＰｌａｙ  Ｐａｕｓｅ待ち（再生、一時停止待ち）となる。制御部２５は、ダビング先の機器の状態を確認したうえで、ダビングを開始させる。デジタル記録再生機器１は、ＤＶテープのタイムコードの不連続点に対応した、ＤＶ記録日時やタイトルごとに、ダビング先をユニークＩＤで管理してユーザが選択した機器の記録媒体にダビングする。
【００４０】
ストリーム変換切替部１４は、入力されたＤＶ映像データのダビング先をチェックし、デジタル記録再生装置１のＤＶＤ１２に記録する場合には、ＤＶ映像データに対しＤＶＤ１２に適合したフォーマットへの変換処理を施してＤＶＤコントローラ１３に変換されたデータを送り記録する。ストリーム変換切替部１４は、残りのＤＶデータをＨＤＤ１１に記録する場合には、ＤＶ映像データに対しＨＤＤ１１に適合したフォーマットの変換処理を施してＨＤＤコントローラ１０に変換されたデータを送り記録する。１３９４接続された外部ディスクレコーダ内の記録媒体への記録は、ＥＥＰＲＯＭ２７に基づいて、選択されたダビング先の機器に対して、デジタル記録再生装置１の制御部２５からＡＶ／Ｃコマンドのディスクサブユニットの制御手段を用いて、ダビング記録を行う。
【００４１】
ＨＤＤ１１へのデータ記録時には、ＨＤＤコントローラ１０内のメモリ１０ａに、ＨＤＤ１１のどの位置に何が記録されたかを示すアドレス情報とＥＥＰＲＯＭ２７内に記録したＤＶテープのマークに対応した接続機器のユニークＩＤを対応付けて記録する。
【００４２】
また、他の機器へのダビング時には、制御部２５の制御にしたがって、ＨＤＤ１１からデータ読み出しが行われる。ディスクサブユニットのＡＶ／Ｃコマンドにより別の機器（例えば、図１に示される機器２＿ａ又は２＿ｂ）のＨＤＤ及び／又はＤＶＤ駆動装置を制御し、ダビング先の機器の状態を確認後、別の機器（例えば、機器２＿ａ又は２＿ｂ）のＨＤＤ及び／又はＤＶＤ駆動装置からのデータ読み出しを、メモリ１０ａ内のアドレス情報及びファイルシステムに基づいて行ってもよい。
【００４３】
ＤＶＤフォーマットに変換されたプログラムストリーム（ＰＳ）データは、ＤＶＤコントローラ１３内のファイルシステムにて、ＣＰＵ１７の制御のもと、ＤＶＤ１２に記録される。記録時に、ＤＶＤコントローラ１３内のメモリ１３ａに、ＤＶＤ１２のどの位置に何が記録されたかを示すアドレス情報を記録しておき、ＤＶＤ１２からのデータ読み出し時に、メモリ１３ａ内のアドレス情報及びファイルシステムに従い読み出しが行われる。このファイルシステムを元にＤＶＤ再生リストも作成できる。
【００４４】
デジタル記録再生装置１でダビングされたＤＶデータをモニタ出力する時は、ＨＤＤ１１から読み出されたＴＳデータ又はＤＶＤ１２から読み出されたＰＳデータは、映像音声復号部１５内において、それぞれのフォーマットに合ったＭＰＥＧデコーダによりデコードされる。映像音声復号部１５内においてデコードされた信号は、制御部２５からの制御信号に応じて動作する表示制御回路３３によって、映像信号に変換され、モニタＴＶ（図１の符号５）に出力され、モニタＴＶの画面に表示される。なお、図２には示されていないが、映像音声復号部１５から出力された音声信号は、音声出力回路（図示しない）から出力される。
【００４５】
デジタル記録再生装置１は、１３９４シリアルバス６を介してＤＶカム４を自動検索し、デジタル記録再生装置１にあるＤＶ録画ボタン２１が押下されることにより、１３９４接続されたＤＶカム４内の記録済みＤＶテープ情報であるＤＶストリームを取り込む一連の操作を行う機能を搭載している。また、デジタル記録再生装置１は、１３９４接続されたディスクレコーダ（例えば、図１に示される機器２＿ａ，２＿ｂ）にＡＶ／Ｃコマンドを送信して制御することにより、ＤＶカム内のＤＶテープ情報を１３９４接続されたディスクレコーダ内の記録媒体にダビングする。
【００４６】
ＤＶストリーム取り込みシステム１００における信号の伝送は、図４に示すように、所定の通信サイクル（例えば、１２５μｓｅｃ）毎に、時分割多重によって行われる。この信号の伝送は、サイクルマスターと呼ばれる機器が、通信サイクルの開始時であることを示すサイクルスタートパケット（ＣＳＰ）を、１３９４シリアルバス６上へ送出することにより開始される。なお、サイクルマスターは、各機器を１３９４シリアルバス６のケーブルで接続したときに、ＩＥＥＥ１３９４規格において規定する手順により自動的に決定される。
【００４７】
図４に示されるように、１通信サイクル中における通信の形態は、ビデオ信号やオーディオ信号などの情報信号をアイソクロナス（Ｉｓｏｃｈｒｏｎｏｕｓ）に伝送するアイソクロナス通信と、接続制御コマンド等の制御信号をアシンクロナス（Ａｓｙｎｃｈｒｏｎｏｕｓ（非同期））に伝送するアシンクロナス通信の２種類である。そして、ＩｓｏｃｈｒｏｎｏｕｓパケットがＡｓｙｎｃｈｒｏｎｏｕｓパケットより先に伝送される。Ｉｓｏｃｈｒｏｎｏｕｓパケットそれぞれに、チャンネル番号ＣＨ１，ＣＨ２，ＣＨ３，…，ＣＨｎを付けることにより、複数のＩｓｏｃｈｒｏｎｏｕｓデータを区別することができる。Ｉｓｏｃｈｒｏｎｏｕｓパケットの送信が終了した後、次のサイクルスタートパケットまでの期間がＡｓｙｎｃｈｒｏｎｏｕｓパケット（パケットＰ（Ａ），Ｐ（Ｂ）及びアクノレッジパケットａｋ）の伝送に使用される。
【００４８】
ＤＶストリーム取り込みシステム１００においては、ＩＥＥＥ１３９４シリアルバス６を介して、デジタル記録再生装置１からＤＶカム４をコントロールする構成としたことにより、以下のことが可能になる。まず、１３９４シリアルバス６は双方向バスであるので、デジタル記録再生装置１のユーザは、ＤＶカム４、及び、１３９４シリアルバス６に接続された他の１３９４対応機器の状態を知ることができる。また、１３９４シリアルバス６上を映像データ及び音声データが流れるので、デジタル記録再生装置１内にＤＶカム４のデータを蓄積することができる。逆に、デジタル記録再生装置１に蓄積している映像データ及び音声データを、ＤＶカム４においてＤＶテープにコピーすることもできる。さらに、デジタル記録再生装置１は、１３９４対応機器の１３９４シリアルバス（ケーブル）の抜き差しの状態を知ることができる。
【００４９】
また、ＤＶストリーム取り込みシステム１００において、ランダムアクセス可能なデジタル記録再生装置１は、システムコントローラとして機能できる。ＤＶストリーム取り込みシステム１００において、デジタル記録再生装置１がＤＶカム４のコントローラとして機能する場合には、ＤＶ取り込み録画ボタン２１を押下すると、図３に示すような接続機器一覧３０とダビングリスト（ＤＶストリーム取り込み情報）３１を含むＧＵＩを、例えば、デジタル記録再生装置１の表示部３６又はモニタＴＶ５に表示する。
【００５０】
ＤＶストリーム取り込みシステム１００において、デジタル記録再生装置１は、ＧＵＩ画面３０，３１をデジタル記録再生装置１の表示部３６又はモニタＴＶ５に表示させて、ＤＶカム４を以下のように制御する。
【００５１】
デジタル記録再生装置１は、ＤＶ録画ボタン２１が押下されると、１３９４シリアルバス６に接続されているＤＶカム４をトポロジー情報として登録する。ＤＶストリーム取り込み情報の１つであるＤＶカム４の製造会社名及び機種名等は、ＤＶ対応機器のＣｏｎｆｉｇ．ＲＯＭ（コンフィギュレーションロム）空間から読み出されて、モニタＴＶ５に接続機器の表示がされる。また、ＤＶテープの有無、カセットメモリの有無、カセットメモリが搭載されている場合は、そこから読み取ることができたテープの記録時間も同時に表示される。なお、接続機器の詳細は図示していない。同様にして、デジタル記録再生装置１は、１３９４シリアルバス６に接続されている他の１３９４機器を認識する。
【００５２】
デジタル記録再生装置１は、ＤＶ機器であるＤＶカム４が接続されると、図５のフローチャートに示す手順に従って動作する。図５に示すフローチャートを用いて、デジタル記録再生装置１が、１３９４シリアルバス６によるＤＶカム４のＤＶデータのダビングリストを作成して表示し、ユーザ操作によってダビングリストにマーク付けをし、デジタル記録再生装置１が、マーク付きのコンテンツをデジタル記録再生装置１のランダムアクセス可能な記録媒体にデジタル記録する動作を説明する。
【００５３】
図５において、ステップＳ１〜Ｓ３は、１３９４シリアルバス６を介して接続されたＤＶ機器の出力プラグの論理的チャンネルへの仮想的接続手段による処理である。ステップＳ３で１３９４シリアルバスを介して接続された種々の機器の中からＤＶテープ機器としてＤＶカムを検出する。
【００５４】
ステップＳ４〜Ｓ１６は、ＤＶカム４が使用可能かどうかの状況把握手段による処理と、ＤＶテープ内の情報信号をデジタル記録再生装置１のランダムアクセス可能な記録媒体に記録する手段による処理と、記録方式の設定手段による処理と、情報信号の記録開始手段による処理と、記録停止手段による処理を示している。以下、各処理ステップの動作を説明する。
【００５５】
ステップＳ１において、ＤＶカム４又はディスクレコーダを１３９４シリアルバス６に接続すると、デジタル記録再生装置１は、１３９４シリアルバス６に接続されている機器の問い合わせを開始する。
【００５６】
次のステップＳ２において、デジタル記録再生装置１は、１３９４シリアルバス６のネットワーク内の、論理的なチャンネルＸと帯域Ｙ（Ｘ，Ｙは整数）のネットワークリソースを、ＩＲＭ（Ｉｓｏｃｈｒｏｎｏｕｓ  Ｒｅｓｏｕｒｃｅ  Ｍａｎａｇｅｒ）から取得する。ＩＲＭとは、これらチャンネルや帯域などのリソースを管理する能力のあるネットワーク上で動作する機器のことである。また、チャンネルは、１台の送信機器から１台以上の受信機器へＭＰＥＧ−ＴＳパケットなどのＩｓｏｃｈｒｏｎｏｕｓデータを流す論理的な道（ｐａｔｈ）を示し、ＣＳＲ（コントロール・ステータス・レジスタ）アドレス空間のＣＨＡＮＮＥＬＳ＿ＡＶＡＩＬＡＢＬＥレジスタ（ネットワーク上のチャンネルの使用状況が記述されているレジスタ）を設定することによって取得できる。また、帯域は、伝送速度に比例したＩｓｏｃｈｒｏｎｏｕｓ通信の帯域量のことを示し、ＢＡＮＤＷＩＤＴＨ＿ＡＶＡＩＬＡＢＬＥレジスタ（ネットワーク上に残っている帯域量が記述されているレジスタ）を書き換えることによって取得できる。
【００５７】
次のステップＳ３において、デジタル記録再生装置１は、ＤＶカム４の検索を行う。ＤＶカム４は、ブロードキャストコネクション（通信相手のプラグを指定しないコネクション）のプラグを持ち、ＤＶカム４は、カメラサブユニットと、テープレコーダ／プレーヤサブユニットとを持つ。このことから、ＤＶカム４の検索は、１３９４シリアルバスのＡＳＹＮＣコマンドを使ってｏＰＣＲ（Ｏｕｔｐｕｔ  Ｐｌｕｇ  Ｃｏｎｔｒｏｌ  Ｒｅｇｉｓｔｅｒ）の読み取りを行い、１３９４コネクションの１つであるブロードキャストコネクションのプラグを持つ機器を検索することにより実行される。
【００５８】
検索方法は、１３９４シリアルバスのＡＳＹＮＣコマンドのＡＶ／Ｃ（Ａｕｄｉｏ  Ｖｉｄｅｏ  Ｃｏｎｔｒｏｌ）コマンドのやり取りで行われる。ＡＶ／Ｃコマンドは、ＩＥＥＥ１３９４方式で接続された機器をリモート制御するために規定されたコマンドである。このコマンドには、コントロールコマンド、さらにステータスコマンドなどアプリケーションから接続機器を管理するために利用しやすいコマンドがある。
【００５９】
また、ＤＶＣＲ（デジタル・ビデオ・カセット・レコーダ）の規格からテープ上のビデオ及びオーディオ信号のデータは８０バイトのＤＩＦブロック（ＤＩＧＩＴＡＬ  ＩＮＴＥＲＦＡＣＥ  ｂｌｏｃｋ）の並びとして伝送することになっており、走査線５２５本６０フィールドで１０ＤＩＦとなり、これを１ビデオフレームとしている。Ｉｓｏｃｈｒｏｎｏｕｓ通信においては、１２５μｓ毎に１パケット伝送するので、１パケットあたりのＤＩＦブロックサイズを計算することによりシグナルモードを認識できる。デジタル記録再生装置１が、ＡＶ／Ｃコマンドを発行し、検索Ｓｕｂｕｎｉｔ  ＩＮＦＯ（サブユニットイン・フォメーション）でテープとカメラの両ユニットを持っているというレスポンスを受信することと、Ｏｕｔｐｕｔ  Ｓｉｇｎａｌ  Ｍｏｄｅ（アウトプット・シグナル・モード）でＳＤ（Ｓｔａｎｄａｒｄ  Ｄｅｆｉｎｉｔｉｏｎ）−ＮＴＳＣ５２５であるとＣＰＵ回路２５にレスポンスを返すことにより、１３９４接続された機器の中からＤＶ機器を検索する。
【００６０】
次のステップＳ４において、ステップＳ３で検索したＤＶカム４に対してデジタル記録再生装置１から１３９４コネクションの１つであるＰｏｉｎｔ−ｔｏ−Ｐｏｉｎｔコネクションを行う。このＰｏｉｎｔ−ｔｏ−Ｐｏｉｎｔコネクションは、１３９４シリアルバスのＡＳＹＮＣコマンドを使ってコントローラとなるデジタル記録再生装置１がＤＶカム４のストリームを取り込む時に機器間の接続を確保するために行う。
【００６１】
ステップＳ４において、自己機器の入力プラグ（ｉＰＣＲ）を確保したチャンネルＸは、ブロードキャストチャンネルである６３ｃｈに接続する。この処理により、記録対象機器であるＤＶカムの出力プラグと自己機器であるデジタル記録再生装置１の入力プラグがチャンネル（６３ｃｈ）に接続され、記録対象機器からのＤＶパケットを受信する準備が完了する。
【００６２】
次のステップＳ５において、デジタル記録再生装置１は、ＤＶカム４のノードユニークＩＤの問い合わせを行う。このノードユニークＩＤの問い合わせは、１３９４シリアルバスのＡＳＹＮＣコマンドを使ってＣｏｎｆｉｇ．ＲＯＭの読み取りによって行われる。
【００６３】
ステップＳ５において、デジタル記録再生装置１は、トポロジー情報（ＧＵＩＤだけでなく、同時に機器の形式、機器名等）を獲得し、獲得したトポロジー情報をモニタ表示し、ユーザが選択したターゲットＤＶ機器を検出する。この情報は、ダビングリスト（ＤＶ取り込み情報）３１のＤＶカム４の製造会社名、機種名の表示情報であり、ノードユニーク番号から読み取り表示する。同様にして、デジタル記録再生装置１は、１３９４バス６に接続されたＤＶカム以外の機器全てを接続機器一覧（図３）として表示し（ステップＳ６）、後段のステップＳ８，Ｓ１３でも使用する。デジタル記録再生装置１は、ダビング先の機器選択のダビング機器一覧として図３のダビングリスト表示に使用する。
【００６４】
次のステップＳ７では、デジタル記録再生装置１は、ＤＶカム４の状態（例えば、再生モードか撮影モードか）を確認する。ＤＶカム４が再生モード、又は、ＤＶテープ巻き戻し中であれば、次のステップ８に進む。それ以外であれば、デジタル記録再生装置１は、警告ダイアログを表示してユーザに知らせ、ＤＶ取り込みボタン押下の前の状態まで戻る。
【００６５】
次のステップＳ８では、デジタル記録再生装置１は、接続機器一覧（図３）でダビング先のドロップダウン表示から選択されたダビング先であるディスクレコーダ機器のＨＤＤ又はＤＶＤ駆動装置が作動中か否か、ＤＶストリーム取り込みのための記録が可能な状態かどうかを確認する。ディスクレコーダ機器の状態遷移は、後述する図１３に示す。
【００６６】
次のステップＳ９では、デジタル記録再生装置１は、録画モードの設定を自動的に、例えば、ＳＰモード（標準画質モード）に設定し、タイムコード不連続部の検出を行う。タイムコードはパケットヘッダテーブルに規定されており、ＤＶストリームヘッダ内に格納され、伝送されてくる。
【００６７】
デジタル記録再生装置１は、伝送されたパケットヘッダテーブル内のタイムコードをチェックして、不連続部を検出する。デジタル記録再生装置１は、検出された不連続タイムコードに対応するＶＡＵＸ（Ｖｉｄｅｏ  Ａｕｘｉｌｉａｒｙ  ｉｎｆｏｒｍａｔｉｏｎ）内のＲｅｃ  Ｄａｔｅ（記録日）及びＲｅｃ  Ｔｉｍｅ（記録時間）（Ｒｅｃ  Ｄａｔｅ及びＲｅｃ  Ｔｉｍｅをまとめて、「ＤＶ記録日時」とも言う。）と、この時のテープカウンタ値を検索（ステップＳ１０）し、表示する（ステップＳ１１）。ここで、デジタル記録再生装置１は、既に入力済みのタイトルがあればこれも検出し、表示する。次のステップＳ１２で、デジタル記録再生装置１は、前記ＤＶ記録日時とテープカウンタ値とダビング先のＩＤをＥＥＰＲＯＭ２７に一時記憶させ、ダビングリストを表示する。ステップＳ１３で決定ボタンを押されたことを受けて、次のステップＳ１４に進む。
【００６８】
デジタル記録再生装置１は、これを元に再生リストを作製し、図２に示される記録媒体のコントローラメモリ１０ａ又は１３ａに記録させ、ユーザ指定の記録媒体ＨＤＤ１１又はＤＶＤ１２の所定の場所に伝送し、ユーザライブラリ用として記録しておいてもよい。
【００６９】
ステップＳ１４では、１３９４シリアルバス６を介して入力されたＤＶパケットのデジタル記録を開始する。確実にＤＶストリーム取り込みを行うために、ＤＶの信号検出とランダムアクセス可能な記録媒体のへの録画開始を同期させる。
【００７０】
ステップＳ１５においてＤＶテープにデータ記録がない無記録を連続して１分以上検出したとき、又は、ＤＶテープの終端を検出したとき、ＤＶカム４は、コントローラであるデジタル記録再生装置１に対して１３９４シリアルバスを介してコマンドを送信し、ステップＳ１６において記録を停止する。
【００７１】
ステップＳ１６では、デジタル記録再生装置１は、１３９４シリアルバス６を介して入力されたＤＶテープ終了を検出する。ＡＶ／Ｃ  Ｔｒａｎｓｐｏｒｔ＿ｓｔａｔｕｓ（ＡＶ／Ｃトランスポートステータス）の検出、又は、デコード中におけるフラグ検出を、ＣＰＵ１７又は１３９４制御をつかさどる１３９４Ｌｉｎｋ８が検知し、ＤＶ機器の再生を停止させるコマンドを送信する。また、デジタル記録再生装置１内の図２に示されるストリーム変換切替部１４、コントローラ１０，１３を介してランダムアクセス可能な記録可能な記録媒体への記録を停止させる。
【００７２】
次に、ＣＰＵ１７からの指令によって、ストリーム変換切替部１４にＤＶ記録を停止させ、ＥＥＰＲＯＭ２７のＤＶダビングリスト（図３）を呼び出させる。ユーザ指示で、ダビング先が、他のデジタル機器のＨＤＤ及び／又はＤＶＤであるとき、このリストに基づき、各媒体のコントローラ１０，１３にＤＶデータを１３９４バスを介して伝送する。伝送されたＤＶデータはコントローラ内のメモリに一時記録され、何をどこに記録したかデジタル記録再生装置１のＥＥＰＲＯＭ２７の表記に対応させて、選択したランダムアクセス可能な記録媒体に記録する。
【００７３】
図６は、タイムコードの不連続部の検出ステップと、検出された不連続タイムコードに対応するＤＶ記録日時と、テープカウンタ値の検索とこれらを表示し、かつ、タイムコードの不連続部を検出して、ＤＶダビングリストを表示し、ダビング先を入力する動作を示すフローチャートである。
【００７４】
図６において、制御部２５（図２）は、ステップＳ９０１で、ＤＶ録画ボタン２１（図２）が押下されたのを認識し、ステップＳ９０２でＤＶテープを先頭まで巻き戻してから、記録開始のステップにはいる。ステップＳ９０３において、制御部２５は、該通信制御バスを介して送られてくるＤＶ信号を検出する。
【００７５】
ステップＳ９０３で、制御部２５は、該通信制御バスを介して送られてくるＤＶテープ情報の１つであるＤＶパケットヘッダ内のタイムコードをチェックする。
【００７６】
ステップＳ９０４で、制御部２５は、上記タイムコードの不連続点を検出し、不連続点が２秒間以上あれば、ステップＳ９０５に進み、上記検出タイムコードに対応したＤＶ記録日時、テープカウンタ値をキャプチャーし、ＥＥＰＲＯＭ２７内に記録して表示する（ステップＳ９０６）。既に、タイムコードと関連付けて既に入力された文字データが入力されている場合は、これをタイトルに表示する。不連続点が２秒以内であれば、ステップＳ９０３に戻り、次のＤＶパケットヘッダを取り出し、タイムコードの不連続点をチェックする。ステップＳ９０７において、無記録部が６０秒間以上あれば停止のステップに進み、無記録部が６０秒以内であればステップＳ９０３に戻る。
【００７７】
図７は、図５のステップＳ３の詳細フローを示すＤＶカム判別シーケンスである。判別は、２つのＡＶ／Ｃコマンド（ＡＶ／Ｃ  ＧｅｎｅｒａｌのＳｕｂｕｎｉｔ  ＩｎｆｏコマンドとＯｕｔｐｕｔ  Ｓｉｇｎａｌ  Ｍｏｄｅ  Ｓｔａｔｕｓコマンド）の応答値によって行われる。まず、ＡＶ／Ｃ  ＧｅｎｅｒａｌのＳｕｂｕｎｉｔ  Ｉｎｆｏコマンドを対象の機器に対して発行する（ステップＳ３０１）。その相手機器からのレスポンスデータのうちレスポンスコード（Ｒｅｓｐｏｎｓｅ  Ｃｏｄｅ）がアクセプト（Ａｃｃｅｐｔ）、かつレスポンスがテープレコーダ／プレーヤサブユニット（Ｔａｐｅ  Ｒｅｃｏｒｄｅｒ／Ｐｌａｙｅｒ  Ｓｕｂｕｎｉｔ）とカメラサブユニット（Ｃａｍｅｒａ  Ｓｕｂｕｎｉｔ）を持っているかどうかを判断し（ステップＳ３０２）、合致しなければＤＶカム機能を有していないので、上位へＤＶカムではないという情報を返す（ステップＳ３０６）。合致すれば、ＡＶ／Ｃテープレコーダ／プレーヤサブユニットの出力信号モードステータス（Ｏｕｔｐｕｔ  Ｓｉｇｎａｌ  Ｍｏｄｅ  Ｓｔａｔｕｓ）コマンドを対象の機器に対して発行し（ステップＳ３０３）。ステップＳ３０３では、発行したコマンドの相手機器からのレスポンスデータのうち、レスポンスコードがＡｃｃｅｐｔ、かつレスポンスがＳＤ５２５−６０であれば、上位へＤＶカム機能を有することを通知し（ステップＳ３０５）、そうでない場合はＤＶカムではないということを通知する（ステップＳ３０６）。次にディスクレコーダの判別をディスクサブユニット（Ｄｉｓｋ  Ｓｕｂｕｎｉｔ）のレスポンスで実行する（ステップＳ３０７〜Ｓ３０９）。
【００７８】
以上に説明したように、実施の形態１に係るストリーム取り込みシステム（又は、このシステムにおいて実行されるストリーム取り込み方法、又は、この方法を実施するストリーム取り込み制御装置）によれば、同一ＤＶテープ内の異なるタイトルのコンテンツを一括して指定することによって、同一ＤＶテープ内の複数のコンテンツを、タイトルごとに、異なるＤＶ機器にダビングできるという効果がある。
【００７９】
また、本発明によれば、タイムコードの不連続点を検索し、それに対応したＤＶ記録日時及びタイトルを表示できるので、ＤＶ記録日時やタイトルを確認しながら必要なコンテンツをＤＶ機器の記録媒体に取り込みできるので、ＤＶ機器上で、編集されたポイント及びＤＶパケット抜けが起きたポイントも容易に検出できるという効果もある。
【００８０】
実施の形態２．
図８は、外部接続されたモニタＴＶ５に表示された接続機器一覧とダビングリストを示す図である。図８の接続機器一覧とダビング先の一覧は、１３９４接続されプラグ管理された機器を一覧にして表示したものである。１３９４接続された機器は、ＧＵＩＤ、機器の形式、ノードＩＤ、機器名等のトポロジー情報をデジタル記録再生機器１に送信する。デジタル記録再生機器１は、トポロジー情報をモニタ表示し、ユーザはモニタ表示を確認しながらダビング先の機器を選択する。ダビング先の機器を選択すると、選択された機器のＧＵＩＤは、ダビングしたいコンテンツのタイトルのＲｅｃ  ＴｉｍｅとＤＶカウンタ値とに対応付けられ、ＥＥＰＲＯＭ２７に記憶される。
【００８１】
ユーザは、図８のＤＶストリーム取り込み画面３０のＤＶストリームキャプチャー情報である、ダビングリスト３２を見ながら、ユーザインターフェース２０のカーソル移動ボタン３７を用いて、ＤＶ映像データのジャンルの位置にカーソル移動させる。そして、タイトル別のジャンル欄にカーソル移動させ、カーソル移動ボタン３７の中央に位置する決定ボタンを押す操作をすると、ダビング先一覧と残量が表示されユーザはそれらを確認しながら、コンテンツをジャンル別に分ける。
【００８２】
各ランダムアクセス可能な記録媒体の残量は、記録媒体が収められている記録再生装置にＡＶ／Ｃコマンドによりディスクサブユニット管理部で記録媒体の記録済みの記録時間を合計し、記録可能な全容量から記録済み容量を差し引き、記録可能な残量を応答する。この残量を記録媒体毎に時間換算し表示する。
【００８３】
ダビングリスト３２表示からコンテンツを選択し、ダビング先の機器を選択して決定ボタンを押す操作をすると、ダビングを開始してよいか否かの表示（図９）がなされる。ここで、ＯＫを選択して決定ボタンを押す操作をするとダビングを開始する。
【００８４】
ＤＶテープにデータ記録がない無記録部の検出は、図１０で示したシーケンスで検出する。ステップ５０１において、ＤＶストリームを後段に伝送するに適したフォーマット、例えば、Ｒｅｃ６５６にデコードしているかどうかを示すフラグやレジスタ値を検出し、デコード中か否かを判断する（ステップＳ５０１）。このステップでデコード中と判断した場合は、ステップ５０２へ進み、そうでなければステップ５０６へ進む。ステップ５０２はＡＶ／ＣコマンドのＣｏｎｎｅｃｔ  ＡＶコマンドに対する、ＤＶカムのレスポンス値によって、現在ＤＶカムの状態が撮影モードか再生モードかを判断する（ステップＳ５０２）。ＤＶカムが撮影モードである場合、有記録部と判断し（ステップＳ５０３）、無記録用のカウンタをリセットする（ステップＳ５０４）。ステップ５０５は、デコードはしているが、ＤＶカムが再生モードの時に実行される。タイムコードはパケットヘッダテーブルに規定されており、ＤＶストリームヘッダ内に格納され、伝送されてくる。タイムコードが無効の時は、時刻の「時」と「フレームの値」が、１６進数表記で‘０ｘＦＦ’か‘０ｘ３Ｆ’になり、時刻の「分」及び「秒」が‘０ｘＦＦ’又は‘０ｘ７Ｆ’となる。この値を参照することにより、無効か否かを判断する（ステップＳ５０５）。タイムコードが無効であれば、処理はステップ５０６へ進み、無効でなければ、処理はステップ５０３へ進む。ステップ５０６では獲得したヘッダ内のタイムコードが無効の場合、無記録用のタイムカウンタをインクリメントする（ステップＳ５０６）。ステップ５０７では、無記録用のタイムカウンタをインクリメントした、カウンタ値が、指定した時間に達したか否かを判断する（ステップＳ５０７）。未到達であればステップ５０１へ戻り、到達していれば、無記録部検出の通知を行い（ステップＳ５０８）、図５のステップＳ１５の無記録部の検出を終えステップＳ１６に進む。
【００８５】
ＤＶテープの始端及び／又は終端を検出するには、テープの状態を示すＡＶ／Ｃコマンドであるトランスポートステータスに対するレスポンスによって判断し、図５のステップＳ１５のテープの終端の検出を終えステップＳ１６に進み記録停止を行い、外部接続されているモニタＴＶ５に図８のリストを表示する（ステップＳ１６）。
【００８６】
以上に説明したように、実施の形態２に係るストリーム取り込みシステム（又は、このシステムにおいて実行されるストリーム取り込み方法、又は、この方法を実施するストリーム取り込み制御装置）によれば、同一ＤＶテープ内の異なるジャンルのコンテンツを一括して指定することによって、同一ＤＶテープ内の複数のコンテンツを、ジャンルごとに、異なるＤＶ機器にダビングできるという効果がある。
【００８７】
なお、実施の形態２においては、ＤＶ録画ボタン２１は、デジタル記録再生装置１の本体に装備されていてもよく、また、図示していないが、デジタル記録再生装置１のリモートコントローラに装備されていてもよい。
【００８８】
また、実施の形態２において、上記以外の点は、上記実施の形態１の場合と同じである。
【００８９】
実施の形態３．
本発明の実施の形態３に係るデジタル記録再生装置１のＤＶ取り込みのための動作は、図５のフローチャートに示すものである。また、図１１は、実施の形態３に係るデジタル記録再生装置１のＤＶストリーム取り込み中に並列して行われる動作を示すフローチャートである。実施の形態３のシステム構成は、実施の形態１のものと同様であるので、実施の形態３の説明においては、図１、図２、図６、及び図１０をも参照する。
【００９０】
図５において、ステップＳ１〜Ｓ７は、実施の形態１の場合と同じ動作である。ユーザが、図２のＤＶ録画ボタン（ＤＶ取り込みボタン）２１を押下すると、制御部２５は、ＤＶ録画ボタン２１が押下されたことを検出し、１３９４Ｌｉｎｋ９でＡＶ／Ｃコマンドを、１３９４ＰＨＹ８及び１３９４Ｉ／Ｆ７を介して出力し、ターゲットのＤＶ機器（例えば、図１のＤＶカム４）を制御する。図１０のステップＳ５０５において、ＤＶ機器のストリームデータをデジタル記録再生装置１の記録媒体に取り込み中、中断を要求できるボタンの押下げを検知し、中断要求に対応して、中断の押された時点と同じＤＶテープのタイムコードの不連続点を検知し、それを無効の値と判断し、その範囲までを消去する。
【００９１】
また、図５のステップＳ７では、図５のステップＳ３で検索したＤＶカム４に対して、デジタル記録再生装置１からＰｏｉｎｔ−ｔｏ−Ｐｏｉｎｔコネクションで１３９４シリアルバスのＡＳＹＮＣ（図４のアシンクロナス通信の期間）を使ってＤＶカム４が使用可能であるか否かの状態把握を行い、使用可能な状態である場合は、ＤＶカム４は、使用可能のレスポンスを返し、それを受けて、デジタル記録再生装置１は、ＤＶテープ巻き戻しコマンドをＤＶカム４に送信し、ＤＶカム４のＤＶテープの巻き戻し制御を行う。
【００９２】
ＤＶカム４は、巻き戻しが終了したことを示すコマンドを、１３９４シリアルバス６を介して送信し、デジタル記録再生装置１の１３９４Ｌｉｎｋ９及びＣＰＵ１７が、このコマンドを受信する。このコマンドを受信したデジタル記録再生装置１の記録開始と、ＤＶカム４の再生開始とを同期させて、スタートコマンドを１３９４Ｌｉｎｋ９が発信し、ＣＰＵ１７からストリーム変換切替部１４で、選択されている記録媒体に同期させた記録開始を命令する。この制御により、ＤＶストリーム取り込みの処理であるステップＳ８に進む。ステップＳ８〜Ｓ１５の動作により、トランスポートステータスＡＶ／Ｃコマンドでテープの走行状態を検知し、ＡＶ／Ｃタイムコードステータスコマンドによるタイムカウンタ取得により、テープの先頭と終端ポイントを検出し、ＤＶのテープカウンタ値を読み取る。
【００９３】
図１１には、１３９４コネクション接続完了から、先頭に記録されたＤＶ記録日時の検出、ダビングリストの表示を行いダビング先の決定を終え、各ダビング先でのＤＶ取り込みまでの動作が示されている。図１１のステップＳ２０で、上記実施の形態１及び２に係るデジタル記録再生装置１において、ＤＶカム４を１３９４接続すると、１３９４シリアルバス６を介してＤＶカム４とのコネクション管理が行われる。このコネクション管理後は、１３９４シリアルバス６を介してＤＶパケット受信が可能となる１３９４コネクション接続が完了する（ステップＳ２０）。その後、ＤＶ録画ボタンが押下された（ステップＳ２１）ことをＣＰＵ１７が検知し、有記録部を検知（ステップＳ２２）すると、ＤＶダビング状態になる。有記録部を検知まで、ステップＳ８０８のＤＶデコード開始待ちとなる。ステップＳ２２では、ＤＶカムが撮影モードである場合、有記録部と判断する。ステップＳ２３で、ＡＶ／Ｃタイムコードステータスコマンドによりタイムコードを呼び出し、チェックを行い、タイムコードの不連続点を検索する。不連続点が２秒以内であれば、ステップＳ２２に戻り、次のＤＶパケットヘッダを取り出し、ステップＳ９９で、上記タイムコードの不連続点を検出し、タイムコードの不連続点をチェックする。
【００９４】
ステップＳ９９で、上記タイムコードの不連続点を検出し、不連続点が２秒間以上あれば、ステップＳ２４に進み、検出したタイムコードに対応したＲｅｃ  Ｄａｔｅ，Ｒｅｃ  Ｔｉｍｅ（ＤＶ記録日時）を検出し（ステップＳ２４）、同様に、対応したテープカウンタ値の検出（ステップＳ２５）、既に入力済みのタイトルの検出（ステップＳ２６）を行い、これに対応したダビング先のダビング機器のＧＵＩＤを検出する（ステップＳ２７）。ダビング先の機器の状態がダビング可能であることを確認（ステップＳ２８）し、ステップＳ２９において、ユーザが表示されたＤＶ記録日時の取り込みを停止させる指示（例えば、停止ボタンの押下げ）を検知した時は、選択された録画日時のものは取り込み中でもステップＳ２２に戻り、停止を選択されて途中まで記録したものはそこまでをキャンセルされ、次の有記録部を検出する。それ以外は、ステップＳ３０のＤＶ取り込み（ダビング）のステップに進む。
【００９５】
図１２に示されるように、実施の形態３に係るデジタル記録再生装置１は、デジタル記録再生装置１からＰｏｉｎｔ−ｔｏ−Ｐｏｉｎｔコネクションで１３９４シリアルバスのＡＳＹＮＣ（図４におけるアシンクロナス通信の期間）を使ってＤＶカム４が使用可能であるか否かの状態把握を行い（ステップＳ７０１）、ＤＶカムがＥｊｅｃｔ／Ｏｔｈｅｒ（カセット取り出し・その他）ではない、再生モードであることを確認する（ステップＳ７０２）。ステップＳ７０２において、デジタル記録再生装置１が使用可能な状態である場合は、処理をステップＳ７０３に進め、ＤＶカム４は、使用可能のレスポンスを返し、それを受けて、デジタル記録再生装置１は、ＤＶテープ巻き戻しコマンドをＤＶカム４に送信し（ステップＳ７０３）、ＤＶカム４のＤＶテープの巻き戻し制御を行う。
【００９６】
デジタル記録再生装置１は、ステップＳ７０４でＤＶカム４が巻き戻し（ＲＥＷＩＮＤ）状態になったことを確認する。ＤＶカム４が巻き戻し状態にならなかった時は、処理はステップＳ７１３に進み、ＳＴＯＰ（停止）状態が１０秒続いたかどうか確認する。ＳＴＯＰ状態が１０秒続いた、又は、巻き戻しからＳＴＯＰ状態になった（ステップＳ７０５）ならば、処理はステップＳ７０６に進み、再生一時停止コマンドを送信する。ステップＳ７０７において取り込み先の状態の確認（図５におけるステップＳ７）を行い、Ａｃｃｅｐｔ（取り込み許可）ならば、処理はステップＳ７０８へ進み、Ｐｌａｙ  Ｐａｕｓｅ（再生一時停止）にする。有記録部からの出画のために５秒待機し（ステップＳ７０９）、その５秒間で再生してテープの有記録部を検知する（ステップＳ７１０）。デジタル記録再生装置１内のＲＡＭ１９に現在の録画日時を記録させ、ＤＶカムに再生コマンドを送信（ステップＳ７１１）し、ＤＶストリーム取り込みを開始し、取り込み中となる（ステップＳ７１２）。
【００９７】
ステップＳ７１０において有記録部でないと判断されたとき、処理はステップＳ７１４に進み、図１０のフローチャートに示す無記録部検出とするステップに入り、無記録部検出の通知をＤＶカム及びデジタル記録再生装置１のＣＰＵに送り、取り込み一時停止状態（ステップＳ７１５）にする。その後、Ｐｌａｙ  Ｐａｕｓｅ（再生一時停止）状態となり、次の有記録部を検知する。検知したところから、ＤＶストリーム取り込みを開始する。
【００９８】
ステップＳ７０１、Ｓ７０２、Ｓ７０７において判定が「いいえ」である時には、取り込み中止通知をＤＶカム及びデジタル記録再生装置１のＣＰＵ１７に送り（ステップＳ７１６）、Ｉｄｌｅ（アイドル）状態（ステップＳ７１７）にし、ＤＶカムもデジタル記録再生装置１も停止状態となり、ユーザの次のボタン操作を待つ。
【００９９】
図１３は、図１２のＤＶ取り込みの状態遷移図である。ステップＳ８０１においては、ＤＶカムとデジタル記録再生装置１が接続されていて、共に停止（接続状態アイドル）の状態にある。ＤＶ取り込みボタンが押下され、ＤＶカムが再生モードの時、巻き戻しコマンド（ステップＳ７０３）がＤＶカムに送信され、ＤＶカムは、ステップＳ８０２のＤＶ取り込みＲＥＷＩＮＤ（巻き戻し）待ち状態となる。ここで、ＤＶカムがＲＥＷＩＮＤ状態以外の状態になった場合は、処理は、ステップＳ８０１に戻る。ステップＳ８０２において、ＤＶカムがＲＥＷＩＮＤ状態になった場合は、処理は、ステップＳ８０３に進み、ＤＶテープが先頭（ＤＶテープの始点）まで巻き戻り、ＤＶカムがＳＴＯＰ状態になったのを確認（ステップＳ７０５）後、再生一時停止コマンドを送信する（ステップＳ７０６）。ステップＳ８０４において、ＤＶカムは一時停止コマンドを受信し、再生一時停止（Ｐｌａｙ  Ｐａｕｓｅ）待ちの状態になる。出画のために５秒（ＤＶカムが作動するために必要な時間）待ち、ＤＶテープの先頭が有記録部の場合は、処理は、ステップＳ８０５へ進み、ＤＶストリームを取り込み、ステップＳ８０６のＤＶ取り込み状態となる。一方、ステップＳ８０４において、ＤＶテープの先頭が無記録部の時及びキャプチャー中に１５秒間（ＤＶカムのカメラ映像取り込み開始ボタンが押された時のテープカウンタの値を保存点とし、実際に記録される遅延分を考慮した値）の無記録部を検知した時は、ＤＶカムにＰｌａｙ  Ｐａｕｓｅコマンドを送信し、ステップＳ８０７でＤＶ取り込みを中断する。次の有記録部を検知したら、再度ステップＳ８０６のＤＶ取り込み状態になる。それまで、ステップＳ８０８のＤＶデコード開始待ちとなる。
【０１００】
全体のフローを示す図５においてステップＳ１５で無記録部が６０秒間以上あれば記録停止のステップに進み、テープの終端を検出して記録停止のステップに進む。
【０１０１】
また、デジタル記録再生装置１の記録開始とＤＶ機器の再生開始とを同期させてスタートさせる技術は公知であり、例えば、ＰＣＴ／ＪＰ２００５／０２２０５８出願で説明されている。
【０１０２】
以上に説明したように、実施の形態３に係るデジタル記録再生装置１によれば、テープの先頭を検出することによって、ＤＶテープの先頭から同期して記録でき、ＤＶの記録日時及び、ＤＶのテープカウンタ値、ダビング先の記録媒体の残量を確認しながら記録媒体に取り込むことができるという効果がある。また、途中でダビングを中止したい時には、ダビング動作を停止させることができるという効果がある。
【０１０３】
ＤＶ録画ボタンを押すだけで、無記録部簡単に検索でき、ユーザがほしい情報か否か判断しやすく、また、ＤＶテープを先頭から終端までのタイムコードの不連続点、さらにＲｅｃ  Ｔｉｍｅ、Ｒｅｃ  Ｄａｔｅの不連続点を検出することにより、取り込み中にＤＶ記録日時が確認でき必要なＤＶストリームを取り込めるという効果がある。
【０１０４】
なお、実施の形態３において、上記以外の点は、上記実施の形態１又は２の場合と同じである。
【図面の簡単な説明】
【０１０５】
【図１】本発明の実施の形態１乃至３に係るＤＶストリーム取り込みシステムの構成を概略的に示すブロック図である。
【図２】実施の形態１乃至３に係るデジタル記録再生装置の構成を概略的に示すブロック図である。
【図３】実施の形態１に係るデジタル記録再生装置のＤＶ録画ボタン押下時のＧＵＩ画面を示す図である。
【図４】実施の形態１乃至３において使用される、アイソクロナス通信とアシンクロナス通信を混在させた通信方式を説明するための図である。
【図５】実施の形態１に係るデジタル記録再生装置が所望のＤＶ機器を検索しＤＶテープの終端や無記録部を検出してＤＶストリーム取り込みを行う動作を示すフローチャートである。
【図６】実施の形態２に係るデジタル記録再生装置が所望のＤＶ機器を検索してＤＶテープを先頭まで巻き戻した後にＤＶストリーム取り込みを行う動作を示すフローチャートである。
【図７】実施の形態２に係るデジタル記録再生装置がＤＶカムの検出とディスクレコーダの検出を行う動作（図５のステップＳ３の動作）を示すフローチャートである。
【図８】実施の形態２に係るデジタル記録再生装置へ取り込んだＤＶストリームの再生リストの一例を示す図である。
【図９】実施の形態２に係るデジタル記録再生装置が表示されるダビングリストであって、その上でダビング先の機器の選択及びダビングの開始を指示できるダビングリスの一例を示す図である。
【図１０】実施の形態２に係るデジタル記録再生装置がＤＶテープの無記録部の検出を行う動作（図５のステップＳ１５）を示すフローチャートである。
【図１１】実施の形態３に係るデジタル記録再生装置のＤＶストリーム取り込み中に並列して行われる動作を示すフローチャートである。
【図１２】実施の形態３に係るデジタル記録再生装置の動作（図５のステップＳ７の動作）を示すフローチャートである。
【図１３】実施の形態３に係るデジタル記録再生装置のＤＶストリーム取り込みの動作を示す状態遷移図である。
【図１４】ＩＥＥＥ１３９４シリアルバスを用いた従来のＤＶ取り込みシステムの構成を概略的に示すブロック図である。
【図１５】従来のデジタル記録再生装置の構成を概略的に示すブロック図である。
【図１６】従来のデジタル記録再生装置の記録開始時の動作を示すフローチャートである。
【図１７】従来のデジタル記録再生装置の記録開始時の動作を示すフローチャートである。
【図１８】従来のデジタル記録再生装置の編集処理動作を示すフローチャートである。
【符号の説明】
【０１０６】
１  デジタル記録再生装置、  ２＿ａ，２＿ｂ  ＨＤＤ（又はＤＶＤ）記録再生装置、  ３  デジタルビデオデッキ（ＤＶＨＳ）、  ４  ＤＶカム、  ５  モニタＴＶ、  ６  ＩＥＥＥ１３９４シリアルバス（１ＥＥＥ１３９４ケーブル）、  ７  ＩＥＥＥ１３９４Ｉ／Ｆ、  ８  ＩＥＥＥ１３９４ＰＨＹ、  ９  ＩＥＥＥ１３９４Ｌｉｎｋ、  １０  ＨＤＤコントローラ、  １０ａ  ＨＤＤ用バッファメモリ、  １１  ＨＤＤ、  １２  ＤＶＤ、  １３  ＤＶＤコントローラ、  １３ａ  ＤＶＤ用バッファメモリ、  １４  ストリーム変換切替部、  １５  映像音声復号部、  １６  内部制御バス、  １７  ＣＰＵ、  １８  ＲＯＭ、  １９  ＲＡＭ、  ２０  ユーザインターフェース、  ２１  ＤＶ録画ボタン（ＤＶ取り込みボタン）、  ２５  制御部、  ２７  ＥＥＰＲＯＭ、  ３０  ＤＶストリーム取り込み画面、  ３１  ＤＶストリームキャプチャー情報、  ３２  ＤＶカウンタ、  ３３  表示制御回路、  ３４  ＧＵＩ生成回路、  ３５  表示切替ボタン、  ３６  ＯＳＤ表示部、  ３７  カーソル移動キー及び決定ボタン、  １００  ＤＶストリーム取り込みシステム。
【図１】
2007300299.tif 000003
【図２】
2007300299.tif 000004
【図３】
2007300299.tif 000005
【図４】
2007300299.tif 000006
【図５】
2007300299.tif 000007
【図６】
2007300299.tif 000008
【図７】
2007300299.tif 000009
【図８】
2007300299.tif 000010
【図９】
2007300299.tif 000011
【図１０】
2007300299.tif 000012
【図１１】
2007300299.tif 000013
【図１２】
2007300299.tif 000014
【図１３】
2007300299.tif 000015
【図１４】
2007300299.tif 000016
【図１５】
2007300299.tif 000017
【図１６】
2007300299.tif 000018
【図１７】
2007300299.tif 000019
【図１８】
2007300299.tif 000020